(57)【要約】【課題】顧客操作表示部、カード読取り印字部、紙幣入出金機等を制御する制御部と、各種ソフトウェアを有する記憶部とからなり、顧客の操作によって現金の出金取引等ができる自動取引装置においては、暗証番号の桁数を増やして推測しにくく、また、記憶しにくくすることができるが、センタのホストコンピュータのインターフェースやデータベースの変更が必要となり、システム全体の投資費用が膨大になってしまい実行が難しいという問題がある。【解決手段】顧客の暗証番号を、顧客の選択した選択番号と金融機関側が付与する追加数字列による複合された番号とし、この選択番号と追加数字列による暗証番号テーブルを自動取引装置の記憶部に格納し、暗証番号を入力すると、入力された暗証番号の追加数字列から暗証番号テーブルの前４桁を読み出し、それを入力された前４桁と比較して正しい場合はホストコンピュータと前４桁の選択番号のみで取引が実行されるようにしたことを特徴とする。【選択図】        図１
2007087009.tif 000002
【特許請求の範囲】
【請求項１】
顧客操作表示部、カード読取り印字部、紙幣入出金機等を制御する制御部と、各種ソフトウェアを有する記憶部とからなり、顧客の操作によって現金の出金取引等ができる自動取引装置において、
顧客の暗証番号を、顧客の選択した選択番号と金融機関側が付与する追加数字列による複合された番号とし、この選択番号と追加数字列による暗証番号テーブルを記憶部に格納し、暗証番号を入力すると、入力された暗証番号の追加数字列から暗証番号テーブルの前４桁を読み出し、それを入力された前４桁と比較して正しい場合はホストコンピュータと前４桁の選択番号のみで取引が実行されることを特徴とする自動取引装置。
【請求項２】
顧客操作表示部、カード読取り印字部、紙幣入出金機等を制御する制御部と、各種ソフトウェアを有する記憶部とからなり、顧客の操作によって現金の出金取引等ができる自動取引装置において、
顧客の暗証番号を、顧客の選択した選択番号と金融機関側がその選択番号をもとに関数計算によって付与する追加数字列とよりなる複合された暗証番号とし、暗証番号を入力すると、入力された暗証番号の追加数字列から前４桁を算出し、この算出された前４桁と入力された前４桁と比較して正しい場合はホストコンピュータと前４桁の選択番号のみで取引が実行されることを特徴とする自動取引装置。
【発明の詳細な説明】
【技術分野】
【０００１】
本発明は、銀行等の金融機関やコンビニエンスストアに設置されて出金取引や振込取引等を行うことができる自動取引装置に関する。
【背景技術】
【０００２】
自動取引装置において、偽造カード、盗難カード、紛失カード等の不正カードを使用した不正引出しが後を絶たない。
セキュリティを考慮してカードの使用に際しては、４桁の暗証番号の使用を義務付けており、取引に際して、この４桁の暗証番号が入力される。
ところが、この４桁の暗証番号は生年月日や電話番号等の数字を用いて推測し易く、また、４桁の数字は比較的記憶し易い桁数であるために、不正カードの使用に際して容易に暗証番号も使用されやすく、被害の発生が生じてしまいセキュリティ上好ましくない。
【０００３】
そこで、４桁以上の桁数の暗証番号を使用されることが考えられる（例えば、特許文献１参照）。
【特許文献１】特開平５−２４２１３２号公報
【発明の開示】
【発明が解決しようとする課題】
【０００４】
上述した従来の技術においては、暗証番号の桁数を増やして推測しにくく、また、記憶しにくくすることができるが、センタのホストコンピュータのインターフェースやデータベースの変更が必要となり、システム全体の投資費用が膨大になってしまい実行が難しいという問題がある。
本発明は、このような問題を解決することを課題とする。
【０００５】
そこで、本発明はホストコンピュータのインターフェースやデータベースに影響を与えることがなく暗証番号の桁数を増やすことがきるようにすることを目的とする。
【課題を解決するための手段】
【０００６】
そこで本発明は、顧客の暗証番号を、顧客の選択した選択番号と金融機関側が付与する追加数字列による複合された番号とし、この選択番号と追加数字列による暗証番号テーブルを自動取引装置の記憶部に格納し、暗証番号を入力すると、入力された暗証番号の追加数字列から暗証番号テーブルの前４桁を読み出し、それを入力された前４桁と比較して正しい場合はホストコンピュータと前４桁の選択番号のみで取引が実行されるようにしたことを特徴とする。
【０００７】
さらには、顧客の暗証番号を、顧客の選択した選択番号と金融機関側がその選択番号をもとに関数計算によって付与する追加数字列とよりなる複合された暗証番号とし、暗証番号を入力すると、入力された暗証番号の追加数字列から前４桁を算出し、この算出された前４桁と入力された前４桁と比較して正しい場合はホストコンピュータと前４桁の選択番号のみで取引が実行されるようにしたことを特徴とする。
【発明の効果】
【０００８】
このようにした本発明は、従来のセンタ装置はそのままで取引ができると共にセキュリティが格段に向上することになるという効果が得られる。
【発明を実施するための最良の形態】
【０００９】
以下、図面を参照して本発明の実施例を説明する。
【実施例】
【００１０】
図１は第１の実施例を示す制御ブロック図、図２は装置例の説明図である。
図において、１は自動取引装置であり、顧客の操作によって現金の入金取引、出金取引および振込取引等ができるものである。
２はカード挿入排出口であり、顧客の操作によりカードの挿入を受付け、また、挿入されたカードを顧客に返却するために排出する。さらに、このカード挿入排出口から取引内容を印字した明細票も排出する場合がある。
【００１１】
３は紙幣入出金口であり、顧客が投入する紙幣を受け付け、また、出金する紙幣を顧客に受け渡す口である。
４は硬貨入出金口であり、顧客が投入する硬貨を受け付け、また、出金する硬貨を顧客に受け渡す口である。
５は通帳挿入排出口であり、顧客の操作により通帳の挿入を受付け、また、挿入された通帳を顧客に返却するために排出する口である。
【００１２】
６は顧客操作表示部であり、ＣＲＴ（Ｃａｔｈｏｄｅ  Ｒａｙ  Ｔｕｂｅ）や液晶ディスプレイ等の表示盤上に顧客の操作による入力を受け付けるタッチパネル等を配置し、顧客の入力操作等の誘導を行う取引選択画面および入力された情報等を表示するものである。また、この顧客操作表示部は顧客が行う入力操作をタッチパネルで検知し、所定の信号を出力することができるものである。
【００１３】
なお、取引選択画面には、「出金」、「入金」、「振込」等の取引ボタンが押下されるとその押下を検知し、所定の信号を出力することにより顧客が希望する取引を実行することができる。
７はセンタ８のホストコンピュータであり、銀行等の金融機関の事務センタ等に設置され、ＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｉｎｇ  Ｕｎｉｔ）等の演算および制御手段、磁気ディスク、半導体メモリ等の記憶手段および通信手段を備え、通信回線９を介して自動取引装置１と相互に通信可能に接続され、自動取引装置１との間で入金、出金、振込等の取引電文の送受信を行い、利用者の取引を成立させるか否かを判断する。また、口座番号および暗証番号を受信して自動取引装置１を操作する顧客が本人であることを確認する本人認証を行う。
【００１４】
１０はデータベースであり、顧客情報が格納されている。
１１はカード読取り印字部であり、顧客がカード挿入排出口２から挿入したカードの磁気ストライプまたはＩＣチップ等から口座番号等の口座情報等を読取り、また、顧客が行った取引の内容を明細票に印字し、そのカードおよび明細票をカード挿入排出口２から排出する。
【００１５】
１２は紙幣入出金機であり、紙幣入出金口３から投入された紙幣の真偽および金種鑑別を行った後、装置内部に紙幣を保管すると共にタッチパネルにより指定された出金金額を紙幣入出金口３に排出する。したがって、紙幣鑑別部、一時保留部、「千円」、「五千円」、「万円」等の金種別金庫が搬送路によって連結されており、それらそれぞれには切り替えブレードによって振り分けられたり繰り出されたりする。
【００１６】
１３は通帳部であり、顧客が通帳挿入排出口５から挿入した通帳に取引内容を印字し、その通帳をその通帳挿入排出口５から排出し、顧客に返却する。
１４は制御部であり、顧客操作表示部６、カード読取り印字部１１、紙幣入出金機１２および通帳部１１等を含めて自動取引装置全体の動作を記憶部１５に格納されたソフトウェアに基づいて制御する。
【００１７】
この記憶部１５には例えば制御プログラム、後述する暗証番号テーブル等が格納されている。
したがって、顧客が例えば出金金額の入力を行うと、制御部１４はカード情報、暗証番号、金額をホストコンピュータ７に送信し、ホストコンピュータ７から取引許可の返信によって制御部１４は記憶部１５からデータを読み出して判断して取引を実行するものである。
【００１８】
ここで、上記暗証番号テーブルを図３を用いて説明をする。
顧客が選択した４桁の選択番号１６に、１対１で対応する４桁（この桁数は４桁に限るものではなく、何桁でもよいもので、１桁でもよい。）の追加数字列１７を金融機関側で予め規定する。つまり、記憶部１５内に選択番号１００００通り（００００から９９９９）に対応する４桁の追加数字列２１のテーブルを保持させる。これが暗証番号テーブル１８である。
【００１９】
したがって、顧客はカード（口座）作成時に自己が選択した４桁の数字と、さらに金融機関側が付与した４桁の数字が複合された８桁の数字による暗証番号１９が設定され、その８桁の数字が暗証番号１９として記憶される。
この暗証番号テーブルを記憶部１５に格納させておく。
上述した構成の作用について説明する。
【００２０】
なお、以下に説明する各部の動作は、上記の如く、記憶部１５に格納されたソフトウェア（プログラム）に基づいて制御部１４によって制御される。
このような自動取引装置による出金取引を図４のフローチャートを用いて以下に説明する。
顧客は顧客操作表示部に表示される手順に従って操作することは従来からの自動取引装
置の場合と同様であり、また、その操作手順も従来と全く同様である。
Ｓ１．出金取引を選択する。
Ｓ２．カードをカード挿入排出口２に挿入する。
Ｓ３．暗証番号（本実施例では８桁）を入力する。
Ｓ４．制御部１４によって前４桁と後４桁に分解される。
Ｓ５．記憶部１５の暗証番号テーブル１８の選択番号１６の前４桁の番号から後４桁の追加数字列１７を取り出す。
Ｓ６．入力された後４桁が追加数字列１７と等しいか否かを比較し、等しい場合にはＳ７に進み、等しくない場合にはＳ１０に進む。
Ｓ７．出金金額を入力する。
Ｓ８．ホストコンピュータ７に前４桁の選択番号、出金金額等の取引内容を通信し、ホストコンピュータ７からの従来どおりの送信電文により出金紙幣の計数および搬送が行われる。
Ｓ９．計数された出金金額が紙幣入出金口３に、カード（必要に応じて取引明細書共に）がカード挿入排出口２にそれぞれ排出されて終了する。
Ｓ１０．暗証番号入力をしなおさせ、そのリトライ入力を合うまで記憶部に設定されている設定回数（通常は３回程度に設定）繰り返して入力させ、その入力が設定回数以下ならＳ３に戻り、設定回数を超えても一致しない場合はＳ１１に進む。
Ｓ１１．顧客操作表示部６の取引画面に「暗証番号不一致」と表示してカード挿入排出口２にカードを返却して初期画面に戻す。
【００２１】
以上説明したように、本実施例では、顧客の暗証番号を、顧客の選択した選択番号と金融機関側が付与する追加数字列による複合された番号とし、この選択番号と追加数字列による暗証番号テーブルを記憶部に格納し、暗証番号を入力すると、入力された暗証番号の追加数字列から暗証番号テーブルの前４桁を読み出し、それを入力された前４桁と比較して正しい場合はホストコンピュータと前４桁の選択番号のみで取引が実行されることになり、従来のセンタ装置がそのままで使用できると共にセキュリティが格段に向上することになる。
【００２２】
第２の実施例
上記実施例は暗証番号テーブルを用いたが、本実施例は、選択番号を算出する関数を定義し、顧客が選択した選択番号と、それを算出する追加数字列（この桁数も４桁に限るものではなく、何桁でもよいもので、１桁でもよい。）を複合して暗証番号を作成するものである。
【００２３】
したがって、この暗証番号は、４桁の選択番号と追加数字列ｐの複合された暗証番号であり、暗証番号ｍ＝４＋ｐとなり、顧客にはこれが暗証番号として通知される。
そこで、記憶部１５内に関数を保持しておくことにより、暗証番号として入力されたｍ桁のｐ桁部分から選択番号を算出することができることになる。
上述した構成の作用について説明する。
【００２４】
なお、以下に説明する各部の動作は、上記の如く、記憶部１５に格納されたソフトウェア（プログラム）に基づいて制御部１４によって制御される。
このような自動取引装置による出金取引を図５のフローチャートを用いて以下に説明する。
顧客は顧客操作表示部に表示される手順に従って操作することは従来からの自動取引装
置の場合と同様であり、また、その操作手順も従来と全く同様である。
ＳＦ１．出金取引を選択する。
ＳＦ２．カードをカード挿入排出口２に挿入する。
ＳＦ３．暗証番号（本実施例ではｍ桁）を入力する。
ＳＦ４．制御部１４によって前４桁と後ｐ桁に分解される。
ＳＦ５．記憶部１５の関数により後ｐ桁から暗証番号の前４桁の番号が算出される。
ＳＦ６．算出された４桁の数字が入力された前４桁と等しいか否かを比較し、等しい場合にはＳＦ７に進み、等しくない場合にはＳＦ１０に進む。
ＳＦ７．出金金額を入力する。
ＳＦ８．ホストコンピュータ７に前４桁の選択番号、出金金額等の取引内容を通信し、ホストコンピュータ７からの従来どおりの送信電文により出金紙幣の計数および搬送が行われる。
ＳＦ９．計数された出金金額が紙幣入出金口３に、カード（必要に応じて取引明細書共に）がカード挿入排出口２にそれぞれ排出されて終了する。
ＳＦ１０．暗証番号入力をしなおさせ、そのリトライ入力を合うまで記憶部に設定されている設定回数（通常は３回程度に設定）繰り返して入力させ、その入力が設定回数以下ならＳＦ３に戻り、設定回数を超えても一致しない場合はＳＦ１１に進む。
ＳＦ１１．顧客操作表示部６の取引画面に「暗証番号不一致」と表示してカード挿入排出口２にカードを返却して初期画面に戻す。
【００２５】
以上説明したように、本実施例では暗証番号を、顧客の選択した選択番号と金融機関側がその選択番号をもとに関数計算によって付与する追加数字列による複合された暗証番号とし、暗証番号を入力すると、入力された暗証番号の追加数字列から前４桁を算出し、この算出された前４桁と入力された前４桁と比較して正しい場合はホストコンピュータと前４桁の選択番号のみで取引が実行されることになり、従来のセンタ装置がそのままで使用できると共にセキュリティが格段に向上することになる。
【図面の簡単な説明】
【００２６】
【図１】実施例を示す制御ブロック図
【図２】装置例の説明図
【図３】暗証番号テーブルの説明図
【図４】第１実施例の出金取引を説明するフローチャート
【図５】第２実施例の出金取引を説明するフローチャート
【符号の説明】
【００２７】
１  自動取引装置
２  カード挿入排出口
３  紙幣入出金口
４  硬貨入出金口
５  通帳挿入排出口
６  顧客操作表示部
７  ホストコンピュータ
８  センタ
９  通信回線
１０  データベース
１１  カード読取り印字部
１２  紙幣入出金機
１３  通帳部
１４  制御部
１５  記憶部
１６  選択番号
１７  追加数字列
１８  暗証番号テーブル
１９  暗証番号
【図１】
2007087009.tif 000003
【図２】
2007087009.tif 000004
【図３】
2007087009.tif 000005
【図４】
2007087009.tif 000006
【図５】
2007087009.tif 000007